(57)【特許請求の範囲】
【請求項１】
無線機器に対して管理番地設定器より無線通信により管理番地を設定する無線機器への管理番地設定方法において、
前記管理番地設定器より相手を特定せず、送信電波強度を予め定められている複数の種類から選択指定された所望の送信電波強度として、管理番地の設定を希望する無線機器の機種を予め定められている複数の機種から選択指定された所望の機種として、各無線機器に対してその無線機器に予め設定されている識別情報の返送指令を送信する第１ステップと、
前記返送指令に応えて前記識別情報を返送してきた通信可能圏内の無線機器の一覧を前記管理番地設定器において作成する第２ステップと、
前記識別情報を返送してきた通信可能圏内の無線機器の一覧から選択指定された無線機器の識別情報を前記管理番地設定器より相手を特定せず、各無線機器に対して送信する第３ステップと、
前記管理番地設定器から送信されてきた識別情報と一致する識別情報が設定されている無線機器において自己の所在を報知する第４ステップと、
前記識別情報を返送してきた通信可能圏内の無線機器の一覧中の所望の無線機器に対して指定された管理番地をその無線機器の識別情報とともに前記管理番地設定器より各無線機器に対して送信する第５ステップと、
前記管理番地設定器より送信されてきた識別情報と一致する識別情報が設定されている通信可能圏内の無線機器においてその識別情報とともに送信されてきた管理番地を自己に割り当てられた管理番地として記憶する第６ステップと
を備えることを特徴とする無線機器への管理番地設定方法。
【請求項２】
無線機器と、この無線機器に対して無線通信により管理番地を設定する管理番地設定器とからなる無線機器への管理番地設定システムにおいて、
前記管理番地設定器は、
相手を特定せず、送信電波強度を予め定められている複数の種類から選択指定された所望の送信電波強度として、管理番地の設定を希望する無線機器の機種を予め定められている複数の機種から選択指定された所望の機種として、各無線機器に対してその無線機器に予め設定されている識別情報の返送指令を送信する手段と、
前記返送指令に応えて前記識別情報を返送してきた通信可能圏内の無線機器の一覧を作成する手段と、
前記識別情報を返送してきた通信可能圏内の無線機器の一覧から選択指定された無線機器の識別情報を相手を特定せず、各無線機器に対して送信する手段と、
前記識別情報を返送してきた通信可能圏内の無線機器の一覧中の所望の無線機器に対して指定された管理番地をその無線機器の識別情報とともに各無線機器に対して送信する手段とを備え、
前記無線機器は、
前記管理番地設定器より送られてくる識別情報の返送指令に応えて自己に予め設定されている識別情報を返送する手段と、
前記管理番地設定器より送られてくる識別情報を受信し、受信した識別情報と自己に設定されている識別情報とが一致した場合、自己の所在を報知する手段と、
前記管理番地設定器より送られてくる識別情報を受信し、その識別情報と自己に設定されている識別情報とが一致した場合、その識別情報とともに送られてきた管理番地を自己に割り当てられた管理番地として記憶する手段と
を備えることを特徴とする無線機器への管理番地設定システム。
【発明の詳細な説明】
【技術分野】
【０００１】
この発明は、無線機器に対して管理番地設定器より無線通信により管理番地を設定する無線機器への管理番地設定方法およびシステムに関するものである。
【背景技術】
【０００２】
施工の簡略化などを目的として、建物の空調制御用機器（例えば、コントローラ、センサ、アクチュエータ）の無線化が進みつつある。これらの無線機器には空調制御システムとして機能させるために管理番地を設定する必要がある。
この無線機器に管理番地を設定するための方式としては、従来より、
（１）管理番地設定用スイッチを無線機器に設ける方式
（２）管理番地設定器を無線機器に通信線で接続し、通信線を介する管理番地設定器からの操作で、無線機器内部の不揮発性メモリに管理番地を書き込む方式
などがある。
【０００３】
上述した方式（１）では、スイッチと読み込み回路が必要となり、上述した方式（２）では、管理番地設定器との有線通信回路が必要となる。また、方式（１），（２）ともに、天井裏等に設置された無線機器に対して管理番地の設定を行うような場合、梯子などを利用して無線機器に近づく必要があり、設定作業が煩わしく、時間もかかる。なお、設置前に管理番地を設定しておいたとしても、管理番地に変更が生じれば、やはり梯子などを利用して無線機器に近づく必要がある。
【０００４】
これに対し、無線機器に対して管理番地設定器より無線通信により管理番地の設定を行うようにすれば、梯子などを利用して無線機器に近づかなくてもよく、設定作業が簡単となる。例えば、特許文献１では、ワイヤレス式アドレス設定器（管理番地設定器）を用いて、無線通信により、現場に設置された端末器（無線機器）にアドレス（管理番地）を設定するようにしている。以下、この特許文献１に示された方式を方式（３）と呼ぶ。
【０００５】
方式（３）では、ワイヤレス式アドレス設定器を使用するにあたって、設定用操作部を介して、各端末器の識別子とその端末器に割り当てるアドレスとを予め入力する。これにより、ワイヤレス式アドレス設定器内に、各端末器の識別子とその端末器に割り当てるアドレスとの対応関係を登録する。端末器にアドレスを設定する際には、所望の端末器が設置されている場所にワイヤレス式アドレス設定器を持って行き、その端末機の抽象的でわかりにくいアドレスの代わりにその端末器の識別子を、選択操作部を介して入力する。この時、ワイヤレス式アドレス設定器の送受信部は、所望の端末器の送受信部に向ける。すると、入力した識別子に対応するアドレスが読み出され、所望の端末器に向けて送出される。これにより、所望の端末器に、その端末器の識別子と対応づけて登録したアドレスが設定される。
【０００６】
【特許文献１】特開平８−１４０１６９号公報
【発明の開示】
【発明が解決しようとする課題】
【０００７】
しかしながら、上述した方式（３）では、ワイヤレス式アドレス設定器に各端末器の識別子とその端末器に割り当てるアドレスとの対応関係を予め登録しなければならず、このための登録作業が面倒である。
また、上述した方式（３）では、端末器の設置場所が明確に分かっていることが前提であり、端末器の設置場所が不明確な場合には、アドレスの設定が困難であった。
また、上述した方式（３）では、ワイヤレス式アドレス設定器の通信圏内に複数の端末器が混在するような場合、所望の端末器に対するアドレスが別の端末器に設定されてしまう虞れがあった。
【０００８】
本発明は、このような課題を解決するためになされたもので、その目的とするところは、管理番地設定器に各無線機器の識別子とその無線機器に割り当てる管理番地との対応関係を予め登録する必要がなく、無線機器の設置場所が不明確な場合であっても所望の無線機器を探し出し、その無線機器のみに正しく管理番地を設定することができる無線機器への管理番地設定方法およびシステムを提供することにある。
【課題を解決するための手段】
【０００９】
このような目的を達成するために本発明は、無線機器に対して管理番地設定器より無線通信により管理番地を設定する無線機器への管理番地設定方法において、管理番地設定器より相手を特定せず、送信電波強度を予め定められている複数の種類から選択指定された所望の送信電波強度として、管理番地の設定を希望する無線機器の機種を予め定められている複数の機種から選択指定された所望の機種として、各無線機器に対してその無線機器に予め設定されている識別情報の返送指令を送信する第１ステップと、返送指令に応えて識別情報を返送してきた通信可能圏内の無線機器の一覧を管理番地設定器において作成する第２ステップと、識別情報を返送してきた通信可能圏内の無線機器の一覧から選択指定された無線機器の識別情報を管理番地設定器より相手を特定せず、各無線機器に対して送信する第３ステップと、管理番地設定器から送信されてきた識別情報と一致する識別情報が設定されている無線機器において自己の所在を報知する第４ステップと、識別情報を返送してきた通信可能圏内の無線機器の一覧中の所望の無線機器に対して指定された管理番地をその無線機器の識別情報とともに管理番地設定器より各無線機器に対して送信する第５ステップと、管理番地設定器より送信されてきた識別情報と一致する識別情報が設定されている通信可能圏内の無線機器においてその識別情報とともに送信されてきた管理番地を自己に割り当てられた管理番地として記憶する第６ステップとを設けたものである。なお、本発明は、無線機器への管理番地設定方法としてではなく、無線機器への管理番地設定システムとしても実現することができる。
【００１０】
この発明において、管理番地設定器は、相手を特定せず、送信電波強度を予め定められている複数の種類から選択指定された所望の送信電波強度として、管理番地の設定を希望する無線機器の機種を予め定められている複数の機種から選択指定された所望の機種として、各無線機器に対してその無線機器に設定されている識別情報の返送指令を送信する。例えば、複数の種類から選択指定された所望の送信電波強度を「弱」として、複数の機種から選択指定された所望の機種を「ａ」として、各無線機器に対してその無線機器に設定されている識別情報の返送指令を送信する。この場合、管理番地設定器の送信電波強度「弱」での通信可能圏内に機種「ａ」の無線機器Ａと無線機器Ｂとがあり、無線機器Ａに識別情報＃１が予め設定されており、無線機器Ｂに識別情報＃２が予め設定されているものとした場合、管理番地設定器が送信した識別情報の返送命令を無線機器Ａ，Ｂが受信し、それぞれの識別情報＃１，＃２を返送する。
【００１１】
無線機器Ａ，Ｂから識別情報＃１，＃２が返送されてくると、管理番地設定器は、この識別情報＃１，＃２を返送してきた無線機器Ａ，Ｂの一覧を作成する。例えば、識別情報を返送してきた無線機器の一覧として、識別情報＃１，＃２を画面に表示する。なお、画面には必ずしも識別情報を表示する必要はなく、識別情報を返送してきた無線機器に仮の番号を付けて表示するようにしたり、アイコン（絵文字）を表示するようにしたりしてもよい。この識別情報を返送してきた無線機器の一覧の中から、例えば無線機器Ａを選択指定すると、無線機器Ａの識別情報＃１が管理番地設定器より相手を特定せず、各無線機器に対して送信される。ここで、通信可能圏内の無線機器Ａのみが、管理番地設定器から送信されてきた識別情報＃１と自己に予め設定されている識別情報＃１とが一致するので、自己の存在を報知する。例えば、ブザーを鳴動することにより自己の存在を報知したり、ランプを点灯することにより自己の存在を報知したりする。なお、無線機器が空調制御用機器であれば、機器本来の機能、たとえばファンの起動により風を吹き出すなどの方法で、自己の存在を報知してもよい。
【００１２】
自己の存在を報知した無線機器Ａが所望の無線機器でなかった場合、操作者は、識別情報を返送してきた無線機器の一覧の中から、無線機器Ｂを選択指定する。すると、無線機器Ｂの識別情報＃２が管理番地設定器より相手を特定せず、各無線機器に対して送信される。ここで、通信可能圏内の無線機器Ｂのみが、管理番地設定器から送信されてきた識別情報＃２と自己に予め設定されている識別情報＃２とが一致するので、自己の存在を報知する。
【００１３】
自己の存在を報知した無線機器Ｂが所望の無線機器であった場合、操作者は、識別情報を返送してきた無線機器の一覧中の無線機器Ｂに対して管理番地を指定する。例えば、管理番地として、アドレスＡＤ２を指定する。すると、管理番地設定器は、その指定された管理番地ＡＤ２を無線機器Ｂの識別情報＃２とともに、各無線機器に送信する。ここで、通信可能圏内の無線機器Ｂのみが、管理番地設定器より送信されてきた識別情報＃２と自己の識別情報＃２とが一致するので、その識別情報とともに送信されてきた管理番地ＡＤ２を自己に割り当てられた管理番地として記憶する。
【発明の効果】
【００１４】
本発明によれば、管理番地設定器より相手を特定せず、送信電波強度を予め定められている複数の種類から選択指定された所望の送信電波強度として、管理番地の設定を希望する無線機器の機種を予め定められている複数の機種から選択指定された所望の機種として、各無線機器に対してその無線機器に予め設定されている識別情報の返送指令を送信し、この返送指令に応えて識別情報を返送してきた無線機器の一覧を管理番地設定器において作成し、その一覧から選択指定された無線機器の識別情報を管理番地設定器より相手を特定せず、各無線機器に対して送信し、管理番地設定器から送信されてきた識別情報と一致する識別情報が予め設定されている無線機器において自己の所在を報知するようにしたので、応答する無線機器の数を絞るものとしたうえ、無線機器の設置場所が不明確な場合であっても、周囲の無線機器に識別情報の返送を要求し、識別情報を返送してきた無線機器の一覧の中から無線機器を選択指定しながら所望の無線機器を探し出し、その無線機器に管理番地を設定することができるようになる。
【００１５】
また、本発明によれば、識別情報を返送してきた無線機器の一覧中の所望の無線機器に対して指定された管理番地をその無線機器の識別情報とともに管理番地設定器より各無線機器に対して送信し、送信された識別情報と一致する識別情報が予め設定されている無線機器において管理番地を自己に割り当てられた管理番地として記憶するようにしたので、管理番地設定器に各無線機器の識別子とその無線機器に割り当てる管理番地との対応関係を予め登録しなくてもよく、面倒な登録作業が不要となる。また、識別情報の一致を確認して無線機器に管理番地を記憶させるので、管理番地設定器の通信可能圏内に複数の無線機器が混在するような場合であっても、所望の無線機器のみに正しく管理番地を設定することができるようになる。
【発明を実施するための最良の形態】
【００１６】
以下、本発明を図面に基づいて詳細に説明する。図１は本発明の実施に用いる無線通信システムの一例を示す構成図である。同図において、１（１−１〜１−６）は空調制御用の無線機器（例えば、コントローラ、センサ、アクチュエータ）、２は管理番地設定器であり、無線機器１，管理番地設定器２ともに双方向の無線通信機能を有している。この実施の形態では、管理番地設定器２としてパーソナルコンピュータを用いているが、独自のハードウェアを搭載した専用の設定器としてもよい。
【００１７】
図１において、無線機器１−１〜１−６は天井裏に設置され、管理番地設定器２は室内側において操作者が携帯する。無線機器１−１〜１−６には、製造番号のような機器固有の識別情報（以下、識別コードと呼ぶ）が設定されている。この識別コードは、管理番地設定器２の交信圏内で重複がなければよい。
【００１８】
この例では、無線機器１−１に対して識別コード「ａ１２３４」が、無線機器１−２に対して識別コード「ａ２３４５」が、無線機器１−３に対して識別コード「ａ１１２２」が、無線機器１−４に対して識別コード「ａ１０００」が、無線機器１−５に対して識別コード「ａ５４３２」が、無線機器１−６に対して識別コード「ｂ１２３４」が設定されている。なお、この識別コードにおいて、「ａ」，「ｂ」は無線機器１の機種を表す。
【００１９】
図２に無線機器１の内部構成の概略を示す。無線機器１は、ＣＰＵ１Ａ、ＲＯＭ１Ｂ、ＲＡＭ１Ｃ、不揮発性メモリ１Ｄ、無線送受信回路１Ｅ、計測制御用入出力回路１Ｆ、出力回路１Ｇ、ブザー１Ｈ、ランプ１Ｉ、アンテナ１Ｊを備えている。ＣＰＵ１Ａは、ＲＡＭ１Ｃおよび不揮発性メモリ１Ｄにアクセスしながら、ＲＯＭ１Ｂに格納されたプログラムに従って動作する。ＲＯＭ１Ｂには、本実施の形態特有のプログラムとして、管理番地設定器２側の管理番地設定プログラムと協働して管理番地の設定を行う管理番地設定プログラム（無線機器側の管理番地設定プログラム）が格納されている。この管理番地設定プログラムは工場出荷段階でＲＯＭ１Ｂに格納されている。なお、この実施の形態において、無線機器１の識別コードは不揮発性メモリ１Ｄに格納されている。
【００２０】
図３に管理番地設定器２のハードウェア構成の概略を示す。同図において、２−１はＣＰＵ、２−２はＲＡＭ、２−３はＲＯＭ、２−４はハードディスクなどの記憶装置、２−５は無線送受信部、２−６，２−７はインターフェイス、２−８はディスプレイ、２−９はキーボード、２−１０はマウス、２−１１はアンテナである。ＣＰＵ２−１は、ＲＡＭ２−２にアクセスしながら、ＲＯＭ２−３や記憶装置２−４に格納されたプログラムに従って動作する。
【００２１】
記憶装置２−４には、本実施の形態特有のプログラムとして、無線機器１側の管理番地設定プログラムと協働して管理番地の設定を行う管理番地設定プログラム（管理番地設定器側の管理番地設定プログラム）が格納されている。この管理番地設定プログラムは、例えばＣＤ−ＲＯＭなどの記録媒体に記録された状態で提供され、この記録媒体から読み出されて記憶装置２−４にインストールされている。また、管理番地設定器２は、送信電波強度を「強」、「中」、「弱」の３種類から選択指定することができる送信電波選択機能、管理番地を設定する無線機器の機種を選択指定することができる機種選択機能を有している。
【００２２】
〔管理番地の設定〕
以下、図４に示すシーケンス図を参照して、無線機器１（ＣＰＵ１Ａ）および管理番地設定器２（ＣＰＵ２−１）が実行する管理番地設定プログラムに従う処理動作について説明する。なお、この例では、管理番地を設定したい所望の無線機器１を無線機器１−２とする。
〔手順１〕
操作者は、所望の無線機器１−２が設置されていると思われる場所で、管理番地設定器２を起動する。ここで、応答する無線機器１の数を絞るため、送信電波強度を「弱」とし、管理番地の設定を希望する無線機器の機種を「ａ」とする。図５に管理番地設定器２における表示画面例を示す。この場合、画面上部の送信電波強度の選択部ＢＬ１において、「弱」を選択指定する。また、画面上部の機種の選択部ＢＬ２において、「ａ＊＊＊＊」を選択指定する。
【００２３】
〔手順２〕
そして、操作者は、画面中の識別コードの返送指令部ＢＬ３において、送信ボタンＢＴ１をクリックする（図４（ａ））。すると、管理番地設定器２は、送信電波強度を「弱」として、また識別コードの返送を希望する無線機器の機種を「ａ」として、相手を特定せず、各無線機器１へ識別コード返送指令を送信する（図４（ｂ））。この例において、管理番地設定器２の通信可能圏内には、図１に示すように無線機器１−１〜１−６が位置しているものとする。
【００２４】
通信可能圏内の無線機器１（１−１〜１−６）は、管理番地設定器２からの識別コード返送指令を受信すると、自己が識別コードの返送を希望されている機種「ａ」であるのか否かをチェックする。この場合、無線機器１−１〜１−５が機種「ａ」、無線機器１−６が機種「ｂ」であるので、機種「ａ」の無線機器１−１〜１−５が自己の識別コードを管理番地設定器２へ返送する（図４（ｃ））。なお、相手を特定しない各識別コード返送指令に対して複数の無線機器１が、互いに衝突を避けて識別コードを返送したり、衝突を検出して再送したりすることは、既知の無線通信技術により可能である。
【００２５】
管理番地設定器２は、無線機器１−１〜１−５から返送されてきた識別コードを画面中の識別コード選択部ＢＬ４に一覧表示する（図４（ｄ））。この例では、受信電波強度をチェックし、受信電波強度の強い順に識別コードを上から並べて表示する。また、その識別コードに対応して、受信電波強度（強、中、弱）を表示する。これにより、管理番地設定器２に近い無線機器ほど、その識別コードが上位に表示される。この識別コードの一覧は、本発明で言う「識別情報を返送してきた無線機器の一覧」に対応する。なお、識別コードではなく、識別コードを返送してきた無線機器に仮の番号などを付けて表示するようにしたり、アイコン（絵文字）を表示するようにしたりしてもよい。
【００２６】
〔手順３〕
操作者は、識別コード選択部ＢＬ４の識別コードの一覧中、例えば最上位の識別コード「ａ１２３４」で示される無線機器を選択指定する（図４（ｅ））。この場合、図６（ａ）に示すように、識別コード選択部ＢＬ４の識別コード「ａ１２３４」に対応して表示されている識別コード選択ボタンＰＡ１をクリックする。すると、管理番地設定器２は、識別コード「ａ１２３４」を相手を特定せず、各無線機器１へ送信する（図４（ｆ））。
【００２７】
通信可能圏内の無線機器１（１−１〜１−６）は、管理番地設定器２から識別コード「ａ１２３４」を受信すると、その識別コード「ａ１２３４」と自己の識別コードとが一致するか否かを確認する。この場合、無線機器１−１に識別コード「ａ１２３４」が予め設定されており、管理番地設定器２から送信されてきた識別コード「ａ１２３４」と一致する。無線機器１−１は、管理番地設定器２からの識別コード「ａ１２３４」と自己の識別コード「ａ１２３４」とが一致したことを確認すると、ブザー１Ｈを鳴動させ（図４（ｇ））、自己の所在を報知する。この場合、操作者は、ブザーの鳴動場所から、その無線機器１−１を所望の無線機器ではないと判断する。
【００２８】
なお、この例では、ブザー１Ｈを鳴動させるようにしたが、ランプ１Ｉを点灯させるようにしてもよく、ブザー１Ｈの鳴動とランプ１Ｉの点灯の両方で自己の所在を報知するようにしてもよい。また、ブザーの鳴動を管理番地設定器２からの操作により停止させたり、鳴動開始後一定時間が経過した時点で停止させたりするようにしてもよい。また、ブザーを連続鳴動ではなく、断続鳴動などとしてもよい。断続鳴動とすると、天井越しに鳴動位置を把握しやすくなる。また、付近の別の作業者による鳴動音と混同しないように、音色・音程・断続鳴動パターンなどを管理番地設定器２側から設定できるようにしてもよい。なお、空調制御用機器本来の機能、たとえばファンの起動により風を吹き出すなどの方法で、自己の存在を報知してもよい。
【００２９】
〔手順４〕
次に、操作者は、識別コード選択部ＢＬ４の識別コードの一覧中、次の識別コード「ａ２３４５」で示される無線機器を選択指定する（図４（ｈ））。この場合、図６（ｂ）に示すように、識別コード選択部ＢＬ４の識別コード「ａ２３４５」に対応して表示されている識別コード選択ボタンＰＡ２をクリックする。すると、管理番地設定器２は、識別コード「ａ２３４５」を相手を特定せず、各無線機器１へ送信する（図４（ｉ））。
【００３０】
通信可能圏内の無線機器１（１−１〜１−６）は、管理番地設定器２から識別コード「ａ２３４５」を受信すると、その識別コード「ａ２３４５」と自己の識別コードとが一致するか否かを確認する。この場合、無線機器１−２に識別コード「ａ２３４５」が予め設定されており、管理番地設定器２から送信されてきた識別コード「ａ２３４５」と一致する。無線機器１−２は、管理番地設定器２からの識別コード「ａ２３４５」と自己の識別コード「ａ２３４５」とが一致したことを確認すると、ブザー１Ｈを鳴動させ（図４（ｊ））、自己の所在を報知する。この場合、操作者は、ブザーの鳴動場所から、その無線機器１−２を所望の無線機器であると判断する。
【００３１】
〔手順５〕
操作者は、ブザーの鳴動場所から無線機器１−２を所望の無線機器であると判断すると、管理番地設定器２の画面中に表示されている管理番地指定部ＢＬ５において、無線機器１−２に割り当てたい管理番地を選択指定する。この場合、管理番地指定部ＢＬ５中には割り当て可能な管理番地として、「００３」，「００４」，「００５」，「００７」が残っている。この中から、例えば「００３」を管理番地として割り当てたい場合、その管理番地「００３」に対応する管理番地指定ボタンＰＢ１をクリックする（図７、図４（ｋ））。
【００３２】
すると、管理番地設定器２は、識別コード選択部ＢＬ４の識別コードの一覧において選択指定中（図６（ｂ））の無線機器の識別コード「ａ２３４５」と管理番地指定部ＢＬ５において選択指定された管理番地「００３」、すなわち識別コードを返送してきた無線機器の一覧中の所望の無線機器に対して指定された管理番地「００３」をその無線機器の識別コード「ａ２３４５」とともに、各無線機器１に対して送信する（図４（l））。
【００３３】
通信可能圏内の無線機器１（１−１〜１−６）は、管理番地設定器２から送信されてきた識別コード「ａ２３４５」と自己の識別コードとが一致するか否かを確認する。この場合、無線機器１−２に識別コード「ａ２３４５」が予め設定されており、管理番地設定器２から送信されてきた識別コード「ａ２３４５」と一致する。
【００３４】
無線機器１−２は、管理番地設定器２からの識別コード「ａ２３４５」と自己の識別コード「ａ２３４５」とが一致したことを確認すると、その識別情報とともに送られてきた管理番地「００３」を抽出し、自己に割り当てられた管理番地として記憶する（不揮発性メモリ１Ｄ内に格納する）。そして、この管理番地の設定後、確認応答を管理番地設定器２へ返送する（図４（ｍ））。無線機器１−２からの確認応答を受信した管理番地設定器２は、管理番地指定部ＢＬ５における管理番地の割り当て表示を「未」から「済」に更新する。
【００３５】
以上の説明から分かるように、本実施の形態によれば、無線機器の設置場所が不明確な場合であっても、周囲の無線機器に識別コードの返送を要求し、識別コードを返送してきた無線機器の一覧の中から無線機器を選択指定しながら所望の無線機器を探し出し、その無線機器に管理番地を設定することができるようになる。
また、管理番地設定器に各無線機器の識別子とその無線機器に割り当てる管理番地との対応関係を予め登録しなくてもよく、面倒な登録作業が不要となる。また、識別コードの一致を確認して無線機器に管理番地を記憶させるので、管理番地設定器の通信可能圏内に複数の無線機器が混在するような場合であっても、所望の無線機器のみに正しく管理番地を設定することができるようになる。
【００３６】
なお、本実施の形態では、識別コードを返送してきた無線機器の一覧（識別コードの一覧）から無線機器を順次選択指定するが、この無線機器の順次選択指定は必ずしも操作者が行うものとしなくてもよい。例えば、識別コードを返送してきた無線機器の一覧から順番に無線機器を選択指定する機能を管理番地設定器に設け、この機能によって選択指定された無線機器の識別コードを通信可能圏内の無線機器に対して送信するようにしてもよい。この場合、選択指定された無線機器が自己の所在を報知し、その自己の所在を報知した無線機器が所望の無線機器でなければ、操作者の判断により次の無線機器の選択指定を自動的に行わせるという動作を繰り返す。
【図面の簡単な説明】
【００３７】
【図１】本発明の実施に用いる無線通信システムの一例を示す構成図である。
【図２】この無線通信システムにおける無線機器の内部構成の概略を示すブロック図である。
【図３】この無線通信システムにおける管理番地設定器のハードウェア構成の概略を示す図である。
【図４】この無線通信システムにおける管理番地設定器を用いて無線機器へ管理番地を設定する際の動作を示すシーケンス図である。
【図５】管理番地設定器における表示画面例を示す図である。
【図６】管理番地設定器の表示画面に表示された識別コードの一覧中から最上位の識別コードで示される無線機器を選択指定した状態を示す図である。
【図７】管理番地設定器の表示画面における識別コードの一覧中から次の識別コードで示される無線機器を選択指定した状態を示す図である。
【符号の説明】
【００３８】
１（１−１〜１−６）…無線機器、２…管理番地設定器、１Ａ…ＣＰＵ、１Ｂ…ＲＯＭ、１Ｃ…ＲＡＭ、１Ｄ…不揮発性メモリ、１Ｅ…無線送受信回路、１Ｆ…計測制御用入出力回路、１Ｇ…出力回路、１Ｈ…ブザー、１Ｉ…ランプ、１Ｊ…アンテナ、２−１…ＣＰＵ、２−２…ＲＡＭ、２−３…ＲＯＭ、２−４…記憶装置、２−５…無線送受信部、２−６，２−７…インターフェイス、２−８…ディスプレイ、２−９…キーボード、２−１０…マウス、２−１１…アンテナ、ＢＬ１…送信電波強度の選択部、ＢＬ２…機種の選択部、ＢＬ３…識別コードの返送指令部、ＢＬ４…識別コード選択部、ＢＬ５…管理番地指定部、ＢＴ１…送信ボタン、ＰＡ１〜ＰＡ５…識別コード選択ボタン、ＰＢ１〜ＰＢ４…管理番地指定ボタン。
【図１】
0005103167.tif 000002
【図２】
0005103167.tif 000003
【図３】
0005103167.tif 000004
【図４】
0005103167.tif 000005
【図５】
0005103167.tif 000006
【図６】
0005103167.tif 000007
【図７】
0005103167.tif 000008